(57)【要約】【課題】  光ファイバーは、一般的に端末から端末に光を伝送する事が主な用途で有るため、ケーブルの途中での光の分散発光は行はれて居らず、用途によっては、ケーブルの途中での光の分散発光使用を希望する人が多かった。【解決手段】  光ケーブルの途中部分の中又は側面に、光ケーブル制作中又は、製品に成った後に、傷又はクラック、及び凹凸を装着させる事で、その部分から安易に光を分散発光させる事ができる。【選択図】図１
2011150989.tif 000002
【特許請求の範囲】
【請求項１】
光を通過させる光ファイバーに、凹凸及び傷又はクラックを装着させる装置及び治具で任意の場所に凹凸及び傷又はクラックを装着させ、装着した装着部分より、光を複数個所から分散させて発光させる事を特徴とする、光ファイバー。
【請求項２】
前記、光ファイバーに光を分散させて発光させる事を目的として、凹凸や傷又はクラックを装着させる機能を具備した製造装置で製造した、光を分散発光させる事を特徴とする、光ファイバー。
【請求項３】
前記、光ファイバーは光を発光させたい部分に鑢又は、鏨及び刃物等で、凹凸や傷又は、クラックを装着させ、光を複数個所から分散発光させる事を、特徴とする光ファイバー。
【請求項４】
前記、光ファイバーは、光を分散発光させて使用する目的や用途に応じて、傷又は、クラック及び凹凸の形状や大きさを変える事で、発光の輝度や強弱を制御出来る事を特徴とする光ファイバー。
【発明の詳細な説明】
【技術分野】
【０００１】  本発明は光を端末から端末に伝道させる物体に、端末以外から光を分散発光させる為に、予め、凹凸及び傷又はクラックを装着させ、前記装着した障害部分より光を分散発光させることを特徴とした光ファイバーに関する。
【背景技術】
【０００２】  前記光ファイバーに光を分散発光させる凹凸や傷又は、クラッを装着させる機能を具備した製造装置で製造した光を分散発光させることを特徴とる光ファイバー。【０００３】  前記光ファイバーは光を発光させたい部分に鑢又は鏨及び刃物等で凹凸や傷又は、クラックを、装着させ、光を分散発光させる事を特徴とした光ファイバー。【０００４】  前記光ファイバーは光を分散発光させて使用する用途に応じて、太さや形状を変えることで発光の形態を制御が出来る、光を分散発光させることを特徴とした光ファイバー。【０００５】  従来の光ファイバーは、目的地点まで出来るだけ明るさを減衰させずに、送る事が目的とされていた為その光ファイバーは、材質の透明度上げ、クラック、キズ、凹凸を出来るだけ少なく作る事を目的とされていた。
【先行技術文献】
【特許文献】
【０００６】
【特許文献１】  特開平１０−２９２２５７号公報
【非特許文献】
【０００７】
【非特許文献１】
【発明の概要】
【発明が解決しようとする課題】
【０００８】  本発明は、光ファイバーの使用用途を端末から端末の光の伝送から、任意に必要な個所から必要に応じて簡単に光発光箇所を設けて発光させることの出来る光ファイバーに関する物で、今までは端末だけからの発光で、任意の個所から発光する光ファイバーは無かった。【０００９】  前途の様に、任意の場所から複数発光させるために、輝度の高いランプが必要で、輝度を上げるためには電気量が多く使われるランプが必要であった為、バッテリーを使用して、簡単に移動出来る様な使い方には、無理な場合が多かった。
【課題を解決するための手段】
【００１０】  本発明は、光を通過させる物体に、光を必要な部分で発光させる目的で、予め、凹凸及び傷又はクラックを装着させる装置を具備し、前記装着した装置により光を発光させたい部分に加工し発光させることを目的にしたことを特徴とした光ファイバーに関する。【００１１】  本発明は、光を伝道させる光ファイバーに、発光を必要な部分で発光させる目的で、光ファイバーに、任意の場所に鏨等で凹凸やクラックを付け、又は、鑢等で擦りキズや切りキズを付ける事で、光を発光させるのを目的とした事を特徴とした光ファイブーに関する。【００１２】  上記、光ファイバーは、多数の発光箇所と、移動して使われる場合が想定されるので、光ファイバーの材質は高透明度が必要で又、移動のためにバッテリーを使用する場合も多く想定されるので、発光させる光源は、高輝度で低電力消費量が要求される為、ＬＥＤランプの使用が理想的である。
【発明の効果】
【００１３】  一般的に、光ファイバーは端末から端末に光を伝送することが主な用途で有ったため、ケーブルの途中で光を分散させて使用することを要望する人が多かった。
例えば、一本の光ファイバーから、発光を希望する個所で分散発光させることで、一本の光ファイバーから多数の発光箇所を設ける事が出来るため、今までは複数の発光箇所は、複数の光ファイバーを使用することしか出来なかったが、本発明は光ファイバー一本で自由に必要な個所から複数発光させる事が出来る、そのために低コストで従来は実現出来なかった多数の商品が開発され、従来不可能で有った商品の製造も可能に成る発明である。【００１４】  又、バッテリーとＬＥＤを使用する事で、無理なく移動する事か可能になり、移動を必要とする商品にも幅広く利用でき、多くの産業で新商品の開発及び製造が可能になり、利用範囲も広く多くの産業で活用できる発明である。
【図面の簡単な説明】
【００１５】
【図１】本発明の立体図
【発明を実施するための形態】
【実施例】
【００１６】  暗い所で使用する手話用の手袋に、加工した発光光ファイバーを編み込み、発光させて使用する事で、ハンデキャップを持った人たちをサポートする。【００１７】  夜間、野外で作業する人達の衣服に加工した発光光ファイバーを編み込み、発光させて着る事で存在を明確にして、事故から身を守る。【００１８】  各種イルミネーションや玩具及び、安全機器などに加工した発光光ファイバーを装着す事で安全機器はその安全性が向上し、その他の製品は、デザインやアイテムのアイディアが拡大し製品の幅広がる。【００１９】  特に医療分野では、ケーブルを細くすることで血管内の挿入が容易で任意の位置からの光により新たな医療の展開が予測できる、此の場合、光源は光に拘らずＸ線など幅広い選択肢が活用できる。
【産業上の利用可能性】
【００２０】  前途の様に本発明に於いて、その利用出来る範囲は、例えば、出来あがった製品及び、製造中の製品に装着する、組み込む、編み込む、絡める、繋げる、通す、差し込む等、の加工を施す事で、全ての産業の製品に利用できる、特に安全性の向上係わる製品、新製品の創出、商品価値の向上、障害者のサポート、デザインや衣料の多様化、そして医療等、多くの産業製品に利用出来る。
【符号の説明】
【００２１】  符号１  ＝本発明の光ファイバー本体
符号２ａ＝本発明の光ファイバーに鏨で凹凸を装着させる鏨のイメージ
符号２ｂ＝本発明の光ファイバーに鏨で凹凸を装着させた凹凸のイメージ
符号３ａ＝本発明の光ファイバーに鑢等で擦り傷を装着させる鑢のイメージ
符号３ｂ＝本発明の光ファイバーに鑢等で擦り傷を装着させた、擦り傷跡のイメージ
符号４ａ＝本発明の光ファイバーに鑢や刃物等で装着させる刃物等のイメージ
符号４ｂ＝本発明の光ファイバーに鑢や刃物等で装着させたキズ跡のメージ
符号５ａ＝本発明の光ファイバー圧力を加えてクラックを装着させる、加える圧力のイメージ
符号５ｂ＝本発明の屈折圧力を加えて装着させたクラックのイメージ
【図１】
2011150989.tif 000003